(57)【要約】  データの正規化処理と、当該データの可視化処理とを並行して行うとともに、所望のデータを分析対象データとして優先して処理し、所望のデータの可視化が迅速に行われるデータ分析情報処理装置を得る。正規化されたデータが格納されるデータベースと、メモリと、正規化前のデータのうち、優先して分析する分析対象データを特定して指示する分析指示部と、分析指示部が指示した分析対象データを優先して正規化する処理をすることを指示する正規化指示部と、分析指示部が指示した分析対象データを優先して可視化する処理をすることを指示する可視化指示部と、正規化前のデータを正規化する正規化処理部と、正規化されたデータをデータベースに格納するとともに、可視化指示部により指示されたデータを優先して抽出し、メモリに展開するデータベース処理部と、を有する。
2016203932.tif 000002
【特許請求の範囲】
【請求項１】
正規化されたデータが格納されるデータベースと、
前記データベースのデータの一部が格納されるメモリと、
正規化前のデータのうち、優先して分析する分析対象データを特定して指示する分析指示部と、
前記分析指示部が指示した前記分析対象データを優先して正規化する処理をすることを指示する正規化指示部と、
前記分析指示部が指示した前記分析対象データを優先して可視化する処理をすることを指示する可視化指示部と、
前記分析対象データを優先して正規化前のデータを正規化する正規化処理部と、
前記正規化処理部により正規化されたデータを前記データベースに格納するとともに、前記可視化指示部により指示されたデータを優先して抽出し、前記メモリに展開するデータべース処理部と、
前記メモリに展開されたデータを表示する表示装置と
を備えた、データ分析情報処理装置。
【請求項２】
前記分析指示部によって特定される前記分析対象データに優先度を設定する優先度指示部を更に有する、請求項１に記載のデータ分析情報処理装置。
【請求項３】
前記正規化処理部は、前記優先度が高く設定された前記データを先に正規化する、請求項２に記載のデータ分析情報処理装置。
【請求項４】
前記正規化処理部がデータを正規化し、前記データべース処理部がデータを前記データベースに格納する一連の処理と、前記データべース処理部が前記データベースからデータを抽出し前記メモリに展開する一連の処理とは、並行して行われる、請求項１〜３の何れか一項に記載のデータ分析情報処理装置。
【請求項５】
前記データベース処理部は、前記データの抽出及び展開を定期的に繰り返し行う、請求項１〜４の何れか一項に記載のデータ分析情報処理装置。
【請求項６】
前記分析指示部が、前記正規化処理部が正規化処理をしている途中において、優先して分析する前記分析対象データを変更すると、前記正規化指示部及び前記可視化指示部は、それぞれ優先して処理するデータとして設定する、請求項１〜５の何れか一項に記載のデータ分析情報処理装置。
【請求項７】
前記分析指示部における前記分析対象データは、操作者により特定される、請求項１〜６の何れか一項に記載のデータ分析情報処理装置。
【請求項８】
データを処理するデータ分析情報処理装置であって、
前記データのうち、優先して分析する分析対象データを特定して指示する分析指示部と、
前記分析指示部により指示された前記分析対象データを優先して分析する分析処理部と、
前記分析処理部により分析された前記分析対象データを表示する表示装置と、を備えた、
データ分析情報処理装置。
【請求項９】
正規化された前記データが格納されるデータベースと、
前記データベースの正規化された前記データが格納されるメモリと、を更に備え、
前記分析処理部は、
前記分析指示部により指示された前記分析対象データを優先して正規化する正規化処理部と、
前記正規化処理部により正規化された前記データを前記データベースに格納する処理と、前記分析対象データを優先して抽出し、前記メモリに展開する処理とを行うデータべース処理部と、により構成され、
前記表示装置は、
前記メモリに展開されたデータが前記表示装置に表示される、
請求項８に記載のデータ分析情報処理装置。
【請求項１０】
前記分析指示部が指示する前記データを可視化する処理をすることを指示する可視化指示部をさらに備え、
前記分析指示部により前記分析対象データが指示されると、
前記可視化指示部は、前記分析対象データを優先して可視化する処理をすることを前記データべース処理部に指示し、
前記データべース処理部は、前記正規化処理部により正規化された前記データを前記データベースに格納する処理と、前記可視化指示部により指示された前記データを優先して抽出し、前記メモリに展開する処理とを行う、
請求項９に記載のデータ分析情報処理装置。
【請求項１１】
前記分析対象データに優先度が設定される優先度指示部を更に備え、
前記表示装置には、前記優先度指示部の指示により、前記優先度が高い前記分析対象データが、優先して順に、徐々に表示されていく、
請求項８〜１０の何れか一項に記載のデータ分析情報処理装置。
【請求項１２】
前記表示装置は、
前記分析対象データが分析されるまで、分析が完了していない旨の情報を表示する、
請求項８〜１１の何れか一項に記載のデータ分析情報処理装置。
【請求項１３】
前記分析が完了していない旨の情報は、
前記分析対象データが分析された場合に、分析された前記分析対象データが表示される領域に表示される、
請求項１２に記載のデータ分析情報処理装置。
【請求項１４】
前記分析が完了していない旨の情報は、
前記表示装置の、複数の箇所に表示されている、
請求項１２又は１３に記載のデータ分析情報処理装置。
【請求項１５】
特定された前記分析対象データが変更されると、
前記表示装置は、当該変更された前記分析対象データを、優先して順に、徐々に表示する、
請求項８〜１４の何れか一項に記載のデータ分析情報処理装置。
【請求項１６】
分析された前記分析対象データが、
前記分析が完了していない旨の情報を挟んで表示される、
請求項１２〜１５の何れか一項に記載のデータ分析情報処理装置。
【請求項１７】
前記表示装置は、第１の表示領域と、前記第１の表示領域とは異なる領域の第２の表示領域と、を含み、
前記第１の表示領域と前記第２の表示領域とで、表示される前記データが異なっている、
請求項８〜１２の何れか一項に記載のデータ分析情報処理装置。
【請求項１８】
前記分析が完了していない旨の情報は、
前記分析対象データの分析の進行度に関する情報を含む、
請求項１２〜１６の何れか一項に記載のデータ分析情報処理装置。
【請求項１９】
前記進行度に関する情報が、更新されていく、
請求項１８に記載のデータ分析情報処理装置。
【発明の詳細な説明】
【技術分野】
【０００１】
本発明は、データベースに格納されたデータを可視化するデータ分析情報処理装置に関するものである。
【背景技術】
【０００２】
安価な計算機の普及や、安価なセンサネットワーク環境の構築などにより、大量データの収集・蓄積が手軽にできる環境が整備されている。収集したデータの巨大集合やデータベースから有用な情報を抽出するための手法として、データマイニングの手法が知られている。データマイニングは、計算機を利用してデータを可視化し、可視化されたデータを用いて分析対象のデータ分析を人間が対話的に進める手法である。例えば、空調設備などにおいては、長期間機器を監視して得られたデータを分析することで機器の最適化や異常検出などに活用できることが考えられる。そのような長期間に渡るデータの分析においては、データ量の増加に伴い解析速度が著しく低下し、分析が完了するまでに長い時間がかかっている。このような問題に対し、特許文献１では、類似データ毎に分類したデータを個別に解析する技術を提案している。【０００３】
ところで、計算機を利用したデータ分析では、収集したデータの形式を計算機が処理を行いやすい形式に変換する正規化と、正規化が完了したデータをデータベースに格納するデータベース化の処理が欠かせない。計算機の適切な処理によりデータを可視化し、データ分析の実施を容易にしている。
【先行技術文献】
【特許文献】
【０００４】
【特許文献１】特開２００８―２０４２８２号公報
【発明の概要】
【発明が解決しようとする課題】
【０００５】
長期に渡る大規模なデータを人間が計算機を用いて分析を行う場合にも、大規模データの正規化を完了させてからデータベース化し、可視化の処理が行われることになる。このとき、一般的な処理能力の計算機によりデータの正規化及びデータベース化を行うと、この処理に長時間費やされてしまう。データベース化されたデータが可視化され、人間がデータ分析を開始できる状態となるため、データ分析が終了するまでには膨大な時間を要することが予想される。【０００６】
仮に、一度に大量のデータを処理できれば、正規化及びデータベース化の処理速度が向上することを期待できる。しかし、計算機の処理能力を向上させるためには、複数の計算機を用いることや、高価な計算機を用いるなど以外に方法がなく、一般的な処理能力の計算機を用いた場合には膨大な時間を費やすことが余儀なくされている。【０００７】
本発明は、上記のような課題を解決するためになされたものであり、一般的な処理能力の計算機を用いた場合であっても、データ分析が終了するまでの時間を短縮することを可能にしたデータ分析情報処理装置を提供することを目的とする。
【課題を解決するための手段】
【０００８】
本発明に係るデータ分析情報処理装置は、正規化されたデータが格納されるデータベースと、前記データベースのデータの一部が格納されるメモリと、正規化前のデータのうち、優先して分析する分析対象データを特定して指示する分析指示部と、前記分析指示部が指示した前記分析対象データを優先して正規化する処理をすることを指示する正規化指示部と、前記分析指示部が指示した前記分析対象データを優先して可視化する処理をすることを指示する可視化指示部と、前記分析対象データを優先して正規化前のデータを正規化する正規化処理部と、前記正規化処理部により正規化されたデータを前記データベースに格納するとともに、前記可視化指示部により指示されたデータを優先して抽出し、前記メモリに展開するデータベース処理部と、前記メモリに展開されたデータを表示する表示装置とを備える。
【発明の効果】
【０００９】
本発明によれば、上記の構成を採用したことによって、データの正規化処理と、当該データの可視化処理とを並行して行うとともに、所望のデータを分析対象データとして優先して処理をするようにしたので、一般的な処理能力の計算機を用いた場合であっても、所望のデータの可視化が迅速に行われる、という効果を奏する。
【図面の簡単な説明】
【００１０】
【図１】本発明の実施形態１に係るデータ分析情報処理装置を説明するブロック図である。
【図２】図１のデータ分析情報処理装置が行う正規化処理について説明するフローチャートである。
【図３】図１のデータ分析情報処理装置が行う可視化処理を説明するフローチャートである。
【図４】図１のデータ分析情報処理装置の分析指定画面について説明する概略模式図である。
【図５】図１のデータ分析情報処理装置の分析画面について説明する概略模式図（その１）である。
【図６】図１のデータ分析情報処理装置の分析画面について説明する概略模式図（その２）である。
【図７】図１のデータ分析情報処理装置の分析画面について説明する概略模式図（その３）である。
【図８】図１のデータ分析情報処理装置の分析画面について説明する概略模式図（その４）である。
【図９】本発明の実施形態２に係るデータ分析情報処理装置を説明するブロック図である。
【図１０】図９のデータ分析情報処理装置が行う正規化処理について説明するフローチャートである。
【図１１】図９のデータ分析情報処理装置の分析指定画面について説明する概略模式図である。
【図１２】図９のデータ分析情報処理装置の優先度指示画面について説明する概略模式図である。
【図１３】図９のデータ分析情報処理装置の分析画面について説明する概略模式図である。
【図１４】本発明の実施形態３に係るデータ分析情報処理装置を説明するブロック図である。
【図１５】本発明の実施形態３の変形例に係るデータ分析情報処理装置を説明するブロック図である。
【図１６】本発明の実施形態４のデータ分析情報処理装置の分析画面を説明する略式模式図である。
【図１７】本発明の実施形態５に係るデータ分析情報処理装置の分析画面について説明する概略模式図（その５）である。
【図１８】本発明の実施形態６に係るデータ分析情報処理装置の分析指定画面について説明する概略模式図である。
【図１９】本発明の実施形態６に係るデータ分析情報処理装置の優先度指定画面について説明する概略模式図である。
【発明を実施するための形態】
【００１１】
以下に、本発明に係るデータ分析情報処理装置の実施形態を図面に基づいて詳細に説明する。なお、実施形態によって本発明が限定されるものではない。
【００１２】
本発明に係るデータ分析情報処理装置は、大量データを分析するために用いられるものであり、例えば、空調設備において複数の空気調和機の運転状態に関するデータを長期間継続して取得し、そのデータ分析を行うときなどに用いられる。以下では、データ分析情報処理装置を空調設備のデータ分析に用いる場合を例にとり説明する。
【００１３】
実施形態１.
図１は、本発明の実施形態１に係るデータ分析情報処理装置１００を説明するブロック図である。図１に示すように、データ分析情報処理装置１００は、記憶装置に着目すると、正規化前データ１０１が格納されたメモリ１０１ａと、データベース１０２と、メモリ１０３とを備える。
【００１４】
メモリ１０１ａに格納された正規化前データ１０１は、例えば、温度のデータ、気圧のデータ、空気調和機の運転状態データなどであり、データの取得日及び、計測の対象となった空気調和機のデータとともに項目毎に格納されている。データベース１０２は、正規化後のデータを格納する領域であり、メモリ１０３は、データを表示画面上に可視化するための一次バッファとして機能する。
【００１５】
データ分析情報処理装置１００は、更に、分析指示部１１０と、正規化指示部１１１と、正規化処理部１１２と、可視化指示部１１３と、データベース処理部１１４と、表示装置１２０とを備える。データ分析情報処理装置１００は、図示しないメモリに格納されたプログラムと、それを実行するＣＰＵ（Ｃｅｎｔｒａｌ  Ｐｒｏｃｅｓｓｉｎｇ  Ｕｎｉｔ）によって実現される。
【００１６】
分析指示部１１０は、表示画面上（例えば図４で示す分析指定画面）で操作者が入力した分析を優先する項目を分析対象データとして決定し、正規化指示部１１１及び可視化指示部１１３に対しそれぞれ個別に通知する。例えば、「温度」が入力されると、分析指示部１１０は、温度に関するデータを分析対象データとして決定し、正規化指示部１１１及び可視化指示部１１３に通知する。
【００１７】
正規化指示部１１１は、正規化処理部１１２に対し、正規化を優先する分析対象データの正規化の処理を他の正規化前データ１０１の正規化の処理よりも先に指示する。正規化処理部１１２は、正規化指示部１１１の指示に基づき、データを順次正規化前データ１０１から抽出して正規化するとともに、正規化後のデータをデータベース処理部１１４に渡して逐次データベース１０２に格納する。このとき、正規化処理部１１２は、正規化指示部１１１から指示された分析対象データのデータに対する正規化を先に行い、その後その他の正規化前データ１０１を順次正規化していく。正規化処理部１１２によるデータの正規化と格納とは、一連の処理として実施され、データ分析情報処理装置１００の起動中、全ての正規化前データ１０１が正規化されるまで繰り返される。
【００１８】
一方、可視化指示部１１３は、分析指示部１１０の通知に基づき、データベース処理部１１４に対し、分析対象データの可視化を先に指示し、次に分析対象データ以外の項目の可視化を指示する。データベース処理部１１４は、当該指示に基づき、分析対象データと、分析対象データ以外の項目とに対応するメモリ空間を設定し、初期状態にする。そして、データベース処理部１１４は、データベース１０２から正規化されたデータを順次抽出し、メモリ１０３に展開し、表示装置１２０が例えばグラフにより正規化されたデータを可視化する。可視化指示部１１３による可視化の処理は、データ分析情報処理装置１００の起動中、定期的に繰り返され、新たにデータが正規化されてデータベース１０２に格納されると、即座に可視化されることで表示装置１２０のグラフが充実する。
【００１９】
このように、分析指示部１１０が正規化指示部１１１と、可視化指示部１１３とに対して個別に指示を通知することで、正規化指示部１１１によるデータの正規化と可視化指示部１１３によるデータの可視化とが独立に、且つ、並行して実施される。
【００２０】
続いて、データ分析情報処理装置１００が実施する正規化の処理についてフローチャートを参照しながら説明する。分析が開始されると、分析指示部１１０から正規化指示部１１１に対し、分析対象データが通知される。
【００２１】
図２は、図１のデータ分析情報処理装置１００が行う正規化処理について説明するフローチャートである。図２に示すように、分析指示部１１０から分析の対象となる分析対象データが通知されると、正規化指示部１１１が、分析対象データに関する情報を取得し、正規化処理部１１２に正規化を指示する（Ｓ１）。次に、正規化処理部１１２が、分析対象データに該当するデータを正規化前データ１０１から抽出し、正規化してデータベース１０２に格納する（Ｓ２）。そして、正規化指示部１１１が、分析対象データに該当する全てのデータの正規化が完了したか否かを判断し（Ｓ３）、完了していない場合はステップＳ２に戻り、完了している場合はステップＳ４に移動する。次に、正規化指示部１１１が、分析対応データが更新されているか否かを判断し（Ｓ４）、更新されていると判断したらステップＳ１に戻り、更新されていないと判断したらＳ５に移動する。次に、正規化指示部１１１が、分析対象データ以外のデータを正規化前データ１０１から抽出し、正規化してデータベース１０２に格納する（Ｓ５）。そして、正規化指示部１１１が、全ての正規化前データ１０１の正規化が完了したか否かを判断し（Ｓ６）、完了していない場合はステップＳ５に戻り、完了していると判断した場合には処理を終了する。
【００２２】
このように、正規化の処理及びデータベース化は、一連の処理で行われることに加え、分析対象データとして指定されたデータが他のデータよりも優先して正規化の処理が施される。
【００２３】
図３は、図１のデータ分析情報処理装置１００が行う可視化処理を説明するフローチャートである。図３に示すように、分析指示部１１０に分析対象データが通知されると、まず、可視化指示部１１３が、分析指示部１１０から分析対象データの指示を取得し、データベース処理部１１４に通知する（Ｓ１１）。そして、データベース処理部１１４が、分析対象データと、それ以外の項目とを展開するメモリ空間を初期状態に設定する（Ｓ１２）。次に、データベース処理部１１４が、データベース１０２に格納されたデータを抽出し、メモリ１０３に展開する（Ｓ１３）。そして、データベース処理部１１４が、まだ初期状態に設定されたままのメモリ空間があるか否かを判断し（Ｓ１４）、あると判断した場合はステップＳ１３に戻り、ないと判断した場合は処理を終了する。
【００２４】
そして、データベースに格納された可視化するデータは、正規化処理が完了すると順次蓄積されているので、データの可視化処理を実施することで分析を優先したいデータが可視化される。
【００２５】
このように、分析指示部１１０により正規化の処理と可視化の処理とが個別に指示され、正規化指示部１１１と可視化指示部１１３による処理が同時に、かつ、並行して行われることになる。そして、分析を優先したいデータが他のデータに先だって処理されるので、分析を優先したいデータ、即ち所望のデータの可視化が迅速に行われる。
【００２６】
また、正規化指示部１１１及び可視化指示部１１３による処理においては、それぞれの処理が行われている途中で分析対象データの設定が変更されると、その時点で直ちに分析対象データが再設定されて処理が再開される。このとき、正規化が完了しているデータは、データベース１０２に格納された状態で保持される。これにより、操作者が途中で設定を変更しても、要求があれば即座に可視化に利用できるため、正規化したデータを有効に利用することができる。
【００２７】
続いて、データ分析情報処理装置１００の動作の具体例について説明する。
【００２８】
図４は、図１のデータ分析情報処理装置１００の分析指示部１１０の一部を構成する分析指定画面５００について説明する概略模式図である。図４に示すように、分析指定画面５００は、タッチパネルから構成され、例えば、指定内容が入力される分析期間指定５０１と、分析項目指定５０２と、分析機器指定５０３などと、分析開始ボタン５０４とが設けられている。そして、操作者が分析内容を入力し、分析開始ボタン５０４を押下して分析を行う。分析指定画面５００には、他にも、キャンセルボタン５０５やその他の指定内容が設けられていてもよく、項目の数も限定されない。また、タッチパネルでなくてもよい。
【００２９】
操作者は、分析指定画面５００で、分析を優先したい分析対象データについて指定する。例えば、指定内容として、「２０１５／３／１５〜２０１５／３／２１」を分析期間指定５０１に指定し、「温度」及び「圧力」を分析項目指定５０２に指定する。また、「機器Ａ」及び「機器Ｃ」を分析機器指定５０３に指定する。
【００３０】
この状態で分析開始が押下されると、上記の図２及び図３のフローチャートの処理が行われる。つまり、分析指示部１１０によって、分析期間指定５０１と、分析項目指定５０２と、分析機器指定５０３とにおいて指定された情報に該当するデータが、分析対象データに関する情報として正規化指示部１１１及び可視化指示部１１３に通知される。これにより、正規化指示部１１１が分析対象データの正規化を開始し、可視化指示部１１３が分析対象データの可視化を指示する。なお、可視化指示部１１３は、初期状態として、選択された項目の表示や、表示期間の範囲などを設定する指示をする。
【００３１】
図５は、図１のデータ分析情報処理装置１００の表示装置１２０の分析画面７００について説明する概略模式図（その１）である。図５に示すように、可視化された分析対象データは、例えば、各機器及びセンサ情報７０１と、分析期間７０２などを示した時系列折れ線グラフなどにより分析画面７００に表示される。分析指定画面５００において分析開始ボタン５０４が押下されると、データが正規化されて順次データベース化されるとともに、データベース化されたデータが逐次メモリ１０３に展開されて表示される。このとき、データベース１０２には、優先して正規化された分析対象データが格納されている。
【００３２】
分析開始直後は、正規化されたデータがないので、メモリ空間は初期状態に設定されており、例えば「変換中」などのメッセージ７０４が表示される。分析が開始すると、まず、分析対象データが表示される。そして、表示内容が更新されることでその都度グラフ７０３が段階的に表示される。そして、最終的に全てのデータが可視化される。分析画面には、例えば、「○○％変換が完了しました」など、グラフ化が完了したデータの割合を示す進捗表示７０５があってもよい。これにより、操作者が変換の割合を数値として認識することが可能となり、グラフから視認するのみの場合と比較し、操作者の利便性が向上する。
【００３３】
操作者は、指定したデータが全て表示されるまで待つことも可能であるが、分析結果が得られた時点で終了することもできる。また、分析が完了していなくても、分析指定ボタン７０６を押下して新たなデータを分析対象データとして指定し、分析を開始することもできる。この場合には、分析指定画面５００において新たな項目を選択し、再度分析開始ボタン５０４を押すなどの操作により新たな分析を開始できる構成とすればよい。
【００３４】
図６〜図８は、のデータ分析情報処理装置１００の分析画面７００について説明する概略模式図（その２）〜（その４）であり、図６は棒グラフ７１０、図７は分布図７２０、図８は円グラフ７３０を示している。グラフ形式の選定は、分析に適したものを選択すればよい。いずれの分析画面においても、分析結果が表示される領域のうち正規化の処理が完了したデータは分析結果として表示され、正規化されたデータが正規化の処理前又は処理中であるデータについては初期状態の「変換中」などのメッセージが表示される。更に、正規化処理が完了したデータの割合を数値で示すメッセージも表示することで、操作者がより認識しやすい構成とすることができる。分析の途中であっても分析画面に表示された分析指定ボタンの操作により、新たな項目の設定ができる。これにより、操作者の所望するデータを即座に提供することができる。なお、分析画面上においては、項目の数を増減させたり、表示のスケールを変更させたりする機能を持たせるなど、操作者の利便性を考慮した機能を追加すればよい。
【００３５】
以上説明した、本発明の実施形態１のデータ分析情報処理装置においては、正規化処理部１１２が分析指示部１１０（正規化指示部１１１）からの通知に基づき分析対象データを正規化し、データベース処理部１１４がデータベース１０２に格納する。それと同時に、且つ、並行して、データベース処理部１１４が分析指示部１１０（可視化指示部１１３）の通知に基づきデータベース化された分析対象データを順次可視化する処理を行う。これにより、全ての正規化データの正規化を待つことなく、操作者が選択した分析対象データがデータベース化され、直ちに可視化の処理がされる。このように分析対象データを優先して処理するので、所望のデータが迅速に可視化されて、操作者に提供することができる。
【００３６】
実施形態２.
本発明の実施形態２に係るデータ分析情報処理装置１００について説明する。実施形態２では実施形態１との相違点を中心に説明し、実施形態１と同一部分には、同一符号を付して説明を省略するものとする。なお、実施形態２に係るデータ分析情報処理装置１００の構成は、実施形態１に示す図１のデータ分析情報処理装置１００と同一構成であるため、説明を省略する。
【００３７】
図９は、本発明の実施形態２に係るデータ分析情報処理装置１００を説明するブロック図である。図９に示すように、データ分析情報処理装置１００は、操作者が設定した分析対象データの通知を受ける分析指示部１１０と、操作者が設定した優先度の通知を受ける優先度指示部１１５とを備えている。分析指示部１１０は、実施形態１と同様、当該通知に基づき分析対象データを正規化指示部１１１と可視化指示部１１３とに通知する。そして、優先度指示部１１５は、優先度が設定されたデータを優先分析対象データとして決定し、正規化指示部１１１に通知する。例えば、指定内容のうち、分析項目指定５０２として「温度」と「圧力」とが指定され、優先分析項目指定６０２として「温度」が指定された場合には、「温度」が優先度の高い優先分析対象データとして決定される。
【００３８】
正規化指示部１１１は、分析指示部１１０から通知された分析対象データと優先度指示部１１５から通知された優先分析対象データとを正規化処理部１１２に通知する。正規化処理部１１２は、正規化指示部１１１の指示に基づき、優先分析対象データ及び分析対象データを正規化前データ１０１から順次抽出して正規化し、その後直ちにデータベース１０２に格納する。その後、残りの正規化前データ１０１についても同様の処理により正規化及びデータベース化を行う。
【００３９】
可視化指示部１１３は、実施形態１における可視化指示部１１３と同様、分析指示部１１０の通知に基づき、データベース処理部１１４に対し、データの可視化を指示する。データベース処理部１１４は、通知に基づき、データベース１０２に格納された正規化後のデータを抽出し、メモリ１０３に展開する。そして、メモリ１０３に展開されたデータが分析画面のグラフ上で可視化される。
【００４０】
図１０は、図９のデータ分析情報処理装置１００が行う正規化処理について説明するフローチャートである。図１０に示すように、正規化指示部１１１が、分析対象データと優先度の情報を取得し、分析対象データと、優先分析対象データとを決定する（Ｓ１ａ）。そして、正規化指示部１１１が優先分析対象データと分析対象データとの正規化をこの順に正規化処理部１１２に指示する（Ｓ１ｂ）。次に、正規化処理部１１２が、優先分析対象データを正規化前データ１０１から抽出し、正規化してデータベース１０２に格納する（Ｓ２ａ）。そして、正規化処理部１１２が、全ての優先分析対象データの正規化が完了したか否かを判断し（Ｓ３ａ）、完了していない場合はステップＳ２ａに戻り、完了している場合はステップＳ２に移動する。次に、正規化処理部１１２が、分析対象データを正規化前データ１０１から抽出し、正規化してデータベース１０２に格納する（Ｓ２）。そして、全ての分析対象データの正規化が完了したか否かを判断し（Ｓ３）、完了していない場合はステップＳ２に戻り、完了している場合はステップＳ４ａに移動する。次に、正規化指示部１１１が、分析対象データ又は優先分析データの情報が更新されたか否かを判断し（Ｓ４ａ）、あると判断した場合は、ステップＳ１ａに戻り、ないと判断した場合にはステップＳ５に移動する。そして、正規化処理部１１２が、まだ正規化されていない正規化前データ１０１を抽出し、正規化してデータベース１０２に格納し（Ｓ５）、全ての正規化前データ１０１の正規化が完了したか否かを判断する（Ｓ６）。完了していないと判断した場合はステップＳ５に戻り、完了している場合は処理を終了する。
【００４１】
このように、分析対象データに優先度を設定可能とすることで、分析対象データのうちでも優先して正規化するデータを設定することにより、１つの指定内容の複数の項目に対し、分析の優先度に応じた分析を行うことができる。
【００４２】
なお、可視化指示部１１３が行う処理は、実施形態１と同様であり、データベース１０２に格納された分析対象データに対し、順次可視化する処理を行う。このとき、データベース１０２には、優先度が設定された分析対象データが順次正規化されて格納されていくため、結果として優先度が設定された分析対象データから優先的に可視化されることになる。これにより、操作者が優先して分析したいデータをいち早く可視化し、提供することが可能となる。
【００４３】
図１１は、図９のデータ分析情報処理装置１００の分析指定画面５００について説明する概略模式図である。図１１に示すように、分析指定画面５００には、実施形態１と同様、分析期間指定５０１と、分析項目指定５０２と、分析機器指定５０３と、分析開始ボタン５０４及びキャンセルボタン５０５とに加え、優先度指定ボタン５０６が設けられている。優先度指定ボタン５０６は、各指定項目において、複数の項目を選択し、それぞれについての優先度を指定するために設けられている。
まず、操作者は、分析指定画面５００で、分析を優先したい分析対象についての指示を入力する。例えば、分析期間指定５０１に「２０１５／３／１５〜２０１５／３／２１」を指定し、分析項目指定５０２に「温度」及び「圧力」を指定し、分析機器指定５０３に「機器Ａ」及び「機器Ｃ」を指定する。
【００４４】
図１２は、図９のデータ分析情報処理装置の優先度指定画面６００について説明する概略模式図である。図１２に示すように、操作者が、分析指定画面５００で優先度指定ボタン５０６を押下すると、優先度指定画面６００が表示される。優先度指定画面６００では、操作者が、複数選択された指定内容について更に項目を指定して優先度を設定する。優先度指定画面６００には、優先期間指定６０１と、優先分析項目指定６０２と、優先分析機器指定６０３とを入力する項目と、指定ボタン６０４及びキャンセルボタン６０５が設けられている。優先期間指定６０１と、優先分析項目指定６０２と、優先分析機器指定６０３とにおいて選択された項目が、複数選択された項目の中で更に優先して分析を行う項目として選択される。
【００４５】
優先度指定画面６００が表示されると、操作者が、分析を優先したい項目を指定する。例えば、優先期間指定６０１において「２０１５／３／１５〜２０１５／３／１８」を指定し、優先分析項目指定６０２において「温度」を指定し、優先分析機器指定６０３において「機器Ａ」を指定する。これにより、指定された期間中の指定された項目に該当する分析が優先して実施される。
【００４６】
続いて、操作者が、指定ボタン６０４を押下すると、指定された項目が最優先する分析対象データとして設定される。キャンセルボタン６０５を押下すると、いずれの項目も最優先項目として設定されない。指定ボタン６０４又はキャンセルボタン６０５の押下により画面が優先度指定画面６００から分析指定画面５００に戻る。
【００４７】
その後、分析指定画面５００において分析開始ボタン５０４を押下することにより、分析指示部１１０及び優先度指示部１１５から正規化処理部１１２に対し、優先して正規化する項目が通知される。その結果、優先度が指定された分析対象データが優先的に正規化され、次に分析対応データ、その後その他のデータが正規化され、順次分析画面に表示される。
【００４８】
図１３は、図１０のデータ分析情報処理装置１００の分析画面７００について説明する概略模式図である。図１３に示すように、分析画面７００には、実施形態１と同様、分析指定画面５００において指定された指定内容が表示されている。そして、可視化されたデータには、優先度指定画面６００で指定した内容が、優先的に表示されている。また、データは、常に更新されており、時間の経過とともに可視化データの割合が多くなり、最終的には全てのデータが表示されることになる。これにより、操作者が所望するデータを素早く可視化して提供することができる。
【００４９】
なお、上記の例では、分析対象データを２つ選択し、そのうちの１つに対して優先度を設定しているが、分析対象データの数は限定されない。例えば、複数選択した分析対象データのそれぞれに対して優先度を設定し、優先度に応じて分析対象データを順次表示させる構成とすることもできる。
【００５０】
以上説明した本発明の実施形態２に係るデータ分析情報処理装置においては、複数の分析対象データを選択し、分析対象データに対して優先度の設定を可能とすることで、分析対象データの中でも最も分析を優先したいデータについて更に設定することができる。これにより、操作者がより迅速に所望の分析結果を得られるようになる。なお、優先度の設定は、２段階に限定されるものではなく、例えば３段階以上に設定するようにしてもよい。
【００５１】
実施形態３.
本発明の実施形態３に係るデータ分析情報処理装置について説明する。実施形態３では実施形態１、２との相違点を中心に説明し、実施形態１、２と同一部分には、同一符号を付して説明を省略するものとする。実施形態３においては、分析処理部が、分析指示部の指示に基づきデータの分析及び処理を行う点で実施形態１、２と相違する。
【００５２】
図１４は、本発明の実施形態３に係るデータ分析情報処理装置２００を説明するブロック図である。図１４に示すように、データ分析情報処理装置２００は、分析対象データが決定され、指示される分析指示部１１０と、指示された分析対象データを分析し、処理する分析処理部２１６と、処理されたデータを可視化のため展開するメモリ１０３と、を備える。分析処理部２１６は、正規化処理部２１２、及び、データベース処理部２１４により構成されている。メモリ１０３において展開されたデータは、表示装置１２０に表示される。
【００５３】
分析指示部１１０は、操作者が分析を優先する項目として設定した項目のデータを、分析対象データとして決定して特定する。そして、分析指示部１１０は、優先して分析する分析対象データを分析処理部２１６の正規化処理部２１２と、データベース処理部２１４とのそれぞれに対して指示する。
【００５４】
正規化処理部２１２は、分析指示部１１０の指示により、分析対象データを優先して正規化する処理を行う。正規化処理部２１２は、分析対象データを正規化前データ１０１から優先して抽出し、順に正規化前データ１０１を正規化したデータにして、逐次データベース処理部２１４に渡す。
【００５５】
データベース処理部２１４は、正規化処理部２１２から受けたデータをデータベース１０２に格納する処理を行うと同時に、分析指示部１１０の指示により、データベース１０２に格納されたデータを可視化するために抽出し、メモリ１０３に展開する処理を行う。データベース１０２には、正規化処理部２１２から受けたデータが、受けた順に、逐次格納される。メモリ１０３には、分析指示部１１０からの指示により優先して抽出された分析対象データが、抽出された順に展開される。
【００５６】
データは、メモリ１０３において逐次展開され、表示装置１２０において可視化され、例えば、グラフにより表示される。
【００５７】
正規化処理部２１２、及び、データベース処理部２１４は、データの正規化及び可視化のためのデータベース化を、一連の処理として同時に、かつ、並行して行う。つまり、分析指示部１１０は、正規化を指示する正規化指示部１１１に相当する機能と、可視化を指示する可視化指示部１１３に相当する機能との両方を備えている。
【００５８】
続いて、データ分析情報処理装置２００が実施する正規化の処理について説明する。分析が開始されると、分析指示部１１０から分析処理部２１６に対し、分析対象データが通知され、分析処理部２１６から正規化処理部２１２及びデータベース処理部２１４のそれぞれに通知される。正規化処理部２１２では、当該通知に基づき、分析対象データが、正規化前データ１０１から優先して抽出されて正規化され、データベース処理部２１４に渡される。同時に、データベース処理部２１４では、分析対象データが、正規化されたデータを格納するデータベース１０２から優先して抽出され、メモリ１０３に展開する。そして、分析対象データは、メモリ１０３において可視化されて、表示装置１２０上に表示される。分析対象データの分析が完了すると、正規化処理部２１２及びデータベース処理部２１４により分析対象データ以外のデータが順次抽出され、分析される。そして、表示装置１２０において、分析されたデータが順次表示され、表示が充実されていく。
【００５９】
このように、正規化処理部２１２、及び、データベース処理部２１４は、分析指示部１１０に指示に基づき抽出されたデータを、一連の処理として同時に、かつ、並行して正規化及びデータベース化する。これにより、分析を優先したいデータが他のデータに先だって処理されるので、分析を優先したいデータ、即ち所望のデータの可視化が迅速に行われる。
【００６０】
なお、上記の説明において、分析指示部１１０が正規化と可視化とを指示する構成について説明したが、正規化処理部２１２及びデータベース処理部２１４のそれぞれが、正規化を指示する機能及び可視化を指示する機能を備えた構成であってもよい。例えば、分析指示部１１０から分析対象データが指示され、指示に基づきデータベース処理部に分析対象データの可視化を指示する機能を有する可視化指示部を備えることができる。この構成では、データベース処理部２１４が、可視化指示部の指示に従い可視化の処理を行い、分析対象データが優先してメモリ１０３に展開され、表示装置１２０上に表示される。
【００６１】
実施形態３の変形例．
図１５は、本発明の実施形態３の変形例に係るデータ分析情報処理装置２１０を説明するブロック図である。図１５に示すように、変形例に係るデータ分析情報処理装置２１０においては、分析対象データを指示する分析指示部１１０に加え、分析対象データの優先度を指示する優先度指示部１１５を備える点で相違する。
【００６２】
優先度指示部１１５は、操作者により、分析を優先する項目として設定した分析対象データのうち特に分析を優先したい分析対象データが選択されると、それに基づき分析対象データに優先度を設定する。優先度指示部１１５は、分析処理部２１６に対して分析対象データの優先度を指示する。
【００６３】
正規化処理部２１２は、優先度指示部１１５から分析処理部２１６に優先度の指示があると、分析指示部１１０により指示された分析対象データのうち、優先度の高いデータを正規化前データ１０１から優先して抽出して正規化の処理を行う。
【００６４】
この構成により、分析対象データが複数存在した場合であっても、分析対象データの中で優先度を決定し、優先して分析を行うことができる。これにより、操作者の所望するデータを更に迅速に可視化し、提供することができる。
【００６５】
なお、優先度指示部１１５による優先度の指示は、分析処理部２１６と同時に、データベース処理部２１４に通知される構成でもよい。この構成により、データベース処理部２１４に、表示装置１２０に表示されていない分析対象データが複数ある場合に、抽出するデータが優先度に基づき決定される。そのため、より迅速に操作者に所望のデータを提供することができる。
【００６６】
以上説明した、本発明の実施形態３に係るデータ分析情報処理装置２００によれば、分析対象データを指示する分析指示部１１０と、分析対象データを分析する分析処理部２１６と、分析対象データを順に、徐々に、表示する表示装置１２０とを備えている。分析指示部１１０からの指示により、分析対象データの正規化の指示と可視化の指示とが、分析処理部２１６の正規化処理部２１２及びデータベース処理部２１４のそれぞれに直接通知される。これにより、データの伝達経路が簡素化され、データの表示が更に迅速になる。
【００６７】
また、本発明の実施形態３に係るデータ分析情報処理装置２００によれば、正規化されたデータを格納するデータベース１０２と、表示装置１２０に表示されるデータを格納させるメモリ１０３と、を更に備えている。分析処理部２１６は、分析対象データを優先して正規化する正規化処理部２１２と、データをデータベースに格納し、分析対象データを優先して抽出してメモリに展開する処理を行うデータべース処理部２１４とにより構成される。そして、メモリ１０３に展開されたデータが表示装置１２０に表示される。これにより、データの指示が伝達される経路を簡素化することができる。
【００６８】
また、本発明の実施形態３に係るデータ分析情報処理装置２００によれば、分析指示部１１０が指示するデータの可視化を指示する可視化指示部を備える。可視化指示部は、分析指示部１１０により指示された分析対象データを優先して可視化することを指示し、データべース処理部２１４は、可視化指示部１１３により指示されたデータを優先して抽出し、メモリ１０３に展開する。これにより、データの量が多い場合には、データの指示が伝達される経路が複数構築され、データの処理速度が向上し、操作者が所望するデータが迅速に提供される。
【００６９】
また、本発明の実施形態３に係るデータ分析情報処理装置２００によれば、分析対象データに優先度が設定される優先度指示部１１５を更に備え、優先度指示部１１５の指示により、優先度が高い分析対象データが、優先して順に、徐々に表示される。これにより、操作者は、分析対象データを表示させる優先度を更に詳細に設定し、所望の分析対象データについて分析の結果を得ることができる。
【００７０】
実施形態４．
本発明の実施形態４に係るデータ分析情報処理装置について説明する。実施形態４では実施形態１〜３との相違点を中心に説明し、実施形態１〜３と同一部分には、同一符号を付して説明を省略するものとする。実施形態４においては、表示装置１２０が表示する分析画面及び分析指定画面の態様が実施形態１〜３と相違する。
【００７１】
図１６は、本発明の実施形態４のデータ分析情報処理装置の分析画面７００ａを説明する略式模式図である。図１６は、例えば、分析期間指定５０１が、分析の途中で再設定された場合を示している。図１６に示すように、分析画面７００ａには、各機器及びセンサ情報７０１、分析期間７０２、及び、可視化された分析対象データを含む分析されたデータが表示される。分析対象データは、「変換中です」のメッセージ７０４を挟んで時系列折れ線グラフなどのグラフ７０３により分析画面７００ａに表示されている。分析画面７００ａには、分析の進行の割合を示す進捗表示７０５も表示されている。なお、メッセージ７０４は、本発明の分析が完了していない旨の情報の一例である。また、進捗表示７０５は、本発明の進行度の一例である。
【００７２】
分析画面７００ａは、指定された分析を行う機器を示すセンサ情報７０１毎の領域に分割されており、分析が完了していない旨のメッセージ７０４と、折れ線グラフなどのグラフ７０３とがそれぞれの領域に非時系列に表示されている。なお、分析画面７００ａの領域は、本発明の第１及び第２の表示領域の一例である。
【００７３】
データ分析情報処理装置が分析を開始すると、データが正規化されて順次データベース１０２に格納されるとともに、データベース１０２に格納されたデータが可視化のため逐次メモリ１０３に展開される。分析開始直後は、データベース１０２には正規化されたデータがないため、メモリ空間が初期状態に設定されている。この場合には、メモリ１０３は、表示装置１２０に「変換中です」など、分析が完了していない旨の情報のメッセージ７０４を表示させる。
【００７４】
分析の進行とともに、正規化前のデータから、優先して分析する分析対象データが抽出されて分析処理部２１６により正規化されていく。同時に、データベース処理部２１４により、正規化されたデータが、順次データベース１０２に格納されると共に、データベース１０２から抽出される。データベース処理部２１４により抽出されたデータは、メモリ１０３において初期状態に設定されたメモリ空間と置き代えられ、展開されて可視化される。可視化されたデータは、表示装置１２０により、分析画面７００ａの分析が完了していない旨の情報のメッセージ７０４が表示された領域に、当該メッセージ７０４に代えて表示される。データの正規化及び可視化が独立に、且つ、並行して実施されることで、分析対象データが順次表示され、表示が徐々に充実する。
【００７５】
例えば、分析の途中で操作者から新たなデータを分析対象データとする操作がされると、分析指示部１１０から分析処理部２１６に変更後の分析対象データが指示される。当該指示に基づき、分析処理部２１６は、変更後の分析データを優先して正規化前データから抽出し、正規化の処理を行う。同時に、データベース処理部２１４は、正規化されたデータをデータベース１０２に格納すると共に、変更後の分析対象データを優先してデータベース１０２から抽出し、メモリ１０３に渡す処理を行う。データがメモリ１０３により可視化されることで、変更後の分析対象データが優先して表示される。このとき、変更後の分析対象データが、例えば、時系列から飛んだ領域のデータであると、変更後の分析対象データは、変更前の分析対象データとの間に分析が完了していない「変換中です」の表示を挟んで表示される。
【００７６】
そして、分析対象データの表示が完了すると、その他のデータの分析が進行し、全てのデータの分析が完了すると、グラフなどにより表示され、データの分析が終了する。
【００７７】
以上説明した、本発明の実施形態４に係るデータ分析情報処理装置によれば、表示装置１２０には、分析対象データが分析されるまで「変換中です」などのメッセージ７０４が、分析が完了していない旨の情報が表示される。これにより、操作者に当該データが変換されていることを伝えることができる。
【００７８】
また、本発明の実施形態４に係るデータ分析情報処理装置によれば、分析が完了していない旨の情報を示すメッセージ７０４は、分析対象データが分析された場合に、分析された分析対象データが表示される領域に表示される。そのため、操作者は、いずれ当該領域に分析対象データが表示されることを予測することができる。
【００７９】
また、本発明の実施形態４に係るデータ分析情報処理装置によれば、分析が完了していない旨の情報を示すメッセージ７０４は、表示装置１２０の複数の箇所に表示される。そのため、分析が完了したデータが逐次表示され、操作者が所望するデータをその他のデータに優先して表示することができる。
【００８０】
また、本発明の実施形態４に係るデータ分析情報処理装置によれば、特定された分析対象データが変更されると、表示装置１２０に、変更された分析対象データが、優先して順に、徐々に分析され、表示される。これにより、全ての時点において、操作者が最も所望するデータを、素早く分析し、表示することが可能となる。
【００８１】
また、本発明の実施形態４に係るデータ分析情報処理装置によれば、分析された分析対象データが、分析が完了していない旨の情報を示すメッセージ７０４を挟んで表示される。このように、変更前の分析対象データの分析が完了していなくても、変更後の分析対象データが優先して表示されることで、操作者の最も所望するデータを、素早く分析し、表示することが可能となる。
【００８２】
また、本発明の実施形態４に係るデータ分析情報処理装置によれば、表示装置１２０は、複数の表示領域を含み、それぞれの領域で、表示されるデータが異なっている。これにより、操作者が所望する機器の分析結果を所望の優先度で素早く表示することができる。
【００８３】
実施形態５．
本発明の実施形態５に係るデータ分析情報処理装置について説明する。実施形態５では実施形態１〜４との相違点を中心に説明し、実施形態１〜４と同一部分には、同一符号を付して説明を省略するものとする。実施形態５においては、表示装置に表示される分析画面７００の別の態様を示す。
【００８４】
図１７は、本発明の実施形態５に係るデータ分析情報処理装置の分析画面７２０ｂについて説明する概略模式図（その５）である。図１７に示すように、表示装置１２０は、分析画面７２０ｂに分析されたデータを表示させる。
【００８５】
分析画面７２０ｂには、それぞれの機器を示すセンサ情報７０１、及び、分析が完了していない機器についてその旨を示すメッセージ７０４を含む分布図７２０が表示されている。分析画面７２０ｂには、分布図などにより分析の進行度を示す表示として、全体のデータに対する分析が完了したデータの割合を示す進捗表示７０５ａと、分析中の各機器におけるデータの分析の進行度を示す進捗表示７０５ｂとが表示されている。進捗表示７０５ｂは、進捗表示７０５ｂが進行度を示す機器を示すセンサ情報７０１の近傍に表示される。分析画面７２０ｂの下方には、新たに分析対象データを設定したい場合に押下する分析指定ボタン７０６が表示されている。分析画面７２０ｂに表示される表示内容は、逐次更新され、データの分析の進行度を示す進捗表示７０５ａ、７０５ｂには、各時点における進行度が表示される。
【００８６】
グラフ７０３において、各機器Ａ、Ｂ、Ｃのセンサ情報７０１は、分析された結果が該当する領域に黒点により表示される。一方、分析途中の機器である機器Ｄについては、センサ情報７０１と共に、分析の進行度を示す割合が、灰色の点により表示される。分析が開始されていない機器である機器Ｅ、Ｆについては、分析が完了していない旨の表示としてメッセージ７０４に表示される。分析途中の機器については、分析の進行度を示す進捗表示７０５ｂが逐次更新され、同時に、灰色の点が濃くなるように表示されることで視認性を向上させる。
【００８７】
操作者は、グラフ７０３から、分析された機器Ａ、Ｂ、Ｃの結果と共に、現在分析中の機器Ｄを認識すること、灰色の点で示された機器Ｄの分析の進行度が１０％であること、機器Ｅ、Ｆの分析はまだ開始されていないことを読み取ることができる。分析画面７００において、それぞれ意味を持たせた態様による表示をすることで、分析が完了していない旨の情報として、それぞれの機器の分析の進行度を示すこと、データ全体の分析の進行度を表示することなどが可能となる。
【００８８】
以上説明した、本発明の実施形態５に係るデータ分析情報処理装置によれば、分析が完了していない旨の情報は、分析対象データの分析の進行度に関する情報を示す進捗表示７０５を含む。これにより、操作者が分析結果を把握しやすくなり、操作者の利便性が向上する。
【００８９】
また、本発明の実施形態５に係るデータ分析情報処理装置によれば、分析の進行度を示す進捗表示７０５は、逐次更新されるため、常に最新の情報が操作者に提供される。これにより、操作者が即座に分析結果を得ることができると共に、分析結果を待つことを苦痛に感じることが防止される。
【００９０】
実施形態６．
本発明の実施形態６に係るデータ分析情報処理装置について説明する。実施形態６では実施形態１〜５との相違点を中心に説明し、実施形態１〜５と同一部分には、同一符号を付して説明を省略するものとする。実施形態６においては、表示装置に表示される分析指定画面と優先度指定画面の別の形態を示す。
【００９１】
図１８は、本発明の実施形態６に係るデータ分析情報処理装置の分析指定画面５１０について説明する概略模式図である。図１８に示すように、タッチパネルなどにより構成された表示装置１２０に表示された分析指定画面５１０は、分析期間指定５０１、分析項目指定５０２、分析機器指定５０３を含み、操作者の操作によりそれぞれの項目が設定される。分析指定画面５１０には、優先度指定ボタン５０６、分析開始ボタン５０４、及び、キャンセルボタン５０５なども設けられている。
【００９２】
分析期間指定５０１においては、操作者が所望する分析期間を複数設定し、設定した期間の中で分析の実施を特定の曜日、時刻に設定をする場合には、曜日選択５０７、時刻選択５０８を操作する。分析項目指定５０２においては、操作者が所望する温度、圧力、運転状態などの項目を選択し、分析機器指定５０３において、分析を実施させたい機器を指定する。
【００９３】
これにより、例えば、分析期間指定５０１には、２０１５／３／１５〜２０１５／３／２１と、２０１５／４／１〜２０１５／４／７が設定され、分析項目指定５０２には温度と圧力とが設定され、分析機器指定５０３には機器Ａと機器Ｃが設定される。
【００９４】
分析指定画面５１０における指定が完了すると、優先度指定ボタン５０６、分析開始ボタン５０４、又はキャンセルボタン５０５のいずれかが操作される。
【００９５】
図１９は、本発明の実施形態６に係るデータ分析情報処理装置の優先度指定画面６１０について説明する概略模式図である。優先度指定画面６１０は、分析指定画面５１０において、優先度指定ボタン５０６が操作されると、分析指定画面５１０に代えて表示される。図１９に示すように、優先度指定画面６１０は、優先期間指定６０１、優先分析項目指定６０２、優先分析機器指定６０３を含み、操作者の操作により分析を優先させる項目に優先度が設定される。優先度指定画面６１０には、指定ボタン６０４、及び、キャンセルボタン６０５も設けられている。
【００９６】
優先期間指定６０１においては、指定した分析期間指定５０１の中で、特に分析を優先させる期間がある場合に、優先させる期間を設定する。優先させる期間が複数ある場合には、複数設定することができる。設定した優先させる期間の中で分析の実施を特定の曜日、時刻に設定をする場合には、曜日選択６０６、時刻選択６０７を操作する。
【００９７】
優先分析項目指定６０２においては、分析項目指定５０２において設定された分析項目の中で分析が優先させる項目を選択する。また、優先分析機器指定６０３においては、分析機器指定５０３において設定された機器の中で分析を優先させる項目を選択する。
【００９８】
これにより、例えば、優先期間指定６０１には、２０１５／３／１５〜２０１５／３／１８と、２０１５／４／１〜２０１５／４／２が設定され、優先分析項目指定６０２には温度が設定され、優先分析機器指定６０３には機器Ａが設定される。
【００９９】
優先度指定画面６１０における指定が完了すると、指定された内容を確定する指定ボタン６０４、又は、設定を取り消すキャンセルボタン６０５が操作され、分析指定画面５１０が再び表示装置１２０に表示される。
【０１００】
このように、分析指定画面５１０、及び、優先度指定画面６１０は、表示項目を増加させることで細かく分析対象データを特定することができるため、操作者の要求に即した情報を操作者に素早く提供することができる。
【０１０１】
なお、分析指定画面５１０、及び、優先度指定画面６１０に表示される各項目は、上記に限定されず、分析の対象となるものに従って内容、数ともに変化させることができる。また、優先度を低、中、高など、優先度の中で更に段階的に優先度を付与する構成であってもよい。
【符号の説明】
【０１０２】
１００、２００、２１０  データ分析情報処理装置、１０１  正規化前データ、１０１ａ  メモリ、１０２  データベース、１０３  メモリ、１１０  分析指示部、１１１  正規化指示部、１１２、２１２  正規化処理部、１１３  可視化指示部、１１４、２１４  データベース処理部、１１５  優先度指示部、１２０  表示装置、２１６  分析処理部、３００  分析画面、５００、５１０  分析指定画面、５０１  分析期間指定、５０２  分析項目指定、５０３  分析機器指定、５０４  分析開始ボタン、５０５  キャンセルボタン、５０６  優先度指定ボタン、５０７  曜日選択、５０８  時刻選択、６００、６１０  優先度指定画面、６０１  優先期間指定、６０２  優先分析項目指定、６０３  優先分析機器指定、６０４  指定ボタン、６０５  キャンセルボタン、６０６  曜日選択、６０７  時刻選択、７００、７００ａ、７２０ｂ  分析画面、７０１  センサ情報、７０２  分析期間、７０３  グラフ、７０４  メッセージ、７０５、７０５ａ、７０５ｂ  進捗表示、７０６  分析指定ボタン、７１０  棒グラフ、７２０  分布図、７３０  円グラフ。
【図１】
2016203932.tif 000003
【図２】
2016203932.tif 000004
【図３】
2016203932.tif 000005
【図４】
2016203932.tif 000006
【図５】
2016203932.tif 000007
【図６】
2016203932.tif 000008
【図７】
2016203932.tif 000009
【図８】
2016203932.tif 000010
【図９】
2016203932.tif 000011
【図１０】
2016203932.tif 000012
【図１１】
2016203932.tif 000013
【図１２】
2016203932.tif 000014
【図１３】
2016203932.tif 000015
【図１４】
2016203932.tif 000016
【図１５】
2016203932.tif 000017
【図１６】
2016203932.tif 000018
【図１７】
2016203932.tif 000019
【図１８】
2016203932.tif 000020
【図１９】
2016203932.tif 000021
【手続補正書】
【提出日】平成29年8月29日(2017.8.29)
【手続補正１】
【補正対象書類名】特許請求の範囲
【補正対象項目名】全文
【補正方法】変更
【補正の内容】
【特許請求の範囲】
【請求項１】
正規化されたデータが格納されるデータベースと、
前記データベースのデータの一部が格納されるメモリと、
正規化前のデータのうち、優先して分析する分析対象データを特定して指示する分析指示部と、
前記分析指示部が指示した前記分析対象データを優先して正規化する処理をすることを指示する正規化指示部と、
前記分析指示部が指示した前記分析対象データを優先して可視化する処理をすることを指示する可視化指示部と、
前記分析対象データを優先して正規化前のデータを正規化する正規化処理部と、
前記正規化処理部により正規化されたデータを前記データベースに格納するとともに、前記可視化指示部により指示されたデータを優先して抽出し、前記メモリに展開するデータべース処理部と、
前記メモリに展開されたデータを表示する表示装置と
を備えた、データ分析情報処理装置。
【請求項２】
前記分析指示部によって特定される前記分析対象データに優先度を設定する優先度指示部を更に有する、請求項１に記載のデータ分析情報処理装置。
【請求項３】
前記正規化処理部は、前記優先度が高く設定された前記データを先に正規化する、請求項２に記載のデータ分析情報処理装置。
【請求項４】
前記正規化処理部がデータを正規化し、前記データべース処理部がデータを前記データベースに格納する一連の処理と、前記データべース処理部が前記データベースからデータを抽出し前記メモリに展開する一連の処理とは、並行して行われる、請求項１〜３の何れか一項に記載のデータ分析情報処理装置。
【請求項５】
前記データベース処理部は、前記データの抽出及び展開を定期的に繰り返し行う、請求項１〜４の何れか一項に記載のデータ分析情報処理装置。
【請求項６】
前記分析指示部が、前記正規化処理部が正規化処理をしている途中において、優先して分析する前記分析対象データを変更すると、前記正規化指示部及び前記可視化指示部は、それぞれ優先して処理するデータとして設定する、請求項１〜５の何れか一項に記載のデータ分析情報処理装置。
【請求項７】
前記分析指示部における前記分析対象データは、操作者により特定される、請求項１〜６の何れか一項に記載のデータ分析情報処理装置。
【請求項８】
データを処理するデータ分析情報処理装置であって、
前記データのうち、優先して分析する分析対象データを特定して指示する分析指示部と、
前記分析指示部により指示された前記分析対象データを優先して分析する分析処理部と、
正規化された前記データが格納されるデータベースと、
前記データベースの正規化された前記データが格納されるメモリと、
前記分析指示部が指示する前記データを可視化する処理をすることを指示する可視化指示部と、
前記分析処理部により分析された前記分析対象データを表示する表示装置と、を備え、
前記分析処理部は、
前記分析指示部により指示された前記分析対象データを優先して正規化する正規化処理部と、
前記正規化処理部により正規化された前記データを前記データベースに格納する処理と、前記分析対象データを優先して抽出し、前記メモリに展開する処理とを行うデータベース処理部と、により構成され、
前記分析指示部により前記分析対象データが指示されると、
前記可視化指示部は、前記分析対象データを優先して可視化する処理をすることを前記データベース処理部に指示し、
前記データベース処理部は、前記正規化処理部により正規化された前記データを前記データベースに格納する処理と、前記可視化指示部により指示された前記データを優先して抽出し、前記メモリに展開する処理とを行い、
前記表示装置は、
前記メモリに展開されたデータを前記表示装置に表示させる、
データ分析情報処理装置。
【請求項９】
前記分析対象データに優先度が設定される優先度指示部を更に備え、
前記表示装置には、前記優先度指示部の指示により、前記優先度が高い前記分析対象データが、優先して順に、徐々に表示されていく、
請求項８に記載のデータ分析情報処理装置。
【請求項１０】
前記表示装置は、
前記分析対象データが分析されるまで、分析が完了していない旨の情報を表示する、
請求項８又は９に記載のデータ分析情報処理装置。
【請求項１１】
前記分析が完了していない旨の情報は、
前記分析対象データが分析された場合に、分析された前記分析対象データが表示される領域に表示される、
請求項１０に記載のデータ分析情報処理装置。
【請求項１２】
前記分析が完了していない旨の情報は、
前記表示装置の、複数の箇所に表示されている、
請求項１０又は１１に記載のデータ分析情報処理装置。
【請求項１３】
特定された前記分析対象データが変更されると、
前記表示装置は、当該変更された前記分析対象データを、優先して順に、徐々に表示する、
請求項８〜１２の何れか一項に記載のデータ分析情報処理装置。
【請求項１４】
分析された前記分析対象データが、
前記分析が完了していない旨の情報を挟んで表示される、
請求項１０〜１３の何れか一項に記載のデータ分析情報処理装置。
【請求項１５】
前記表示装置は、第１の表示領域と、前記第１の表示領域とは異なる領域の第２の表示領域と、を含み、
前記第１の表示領域と前記第２の表示領域とで、表示される前記データが異なっている、
請求項８〜１０の何れか一項に記載のデータ分析情報処理装置。
【請求項１６】
前記分析が完了していない旨の情報は、
前記分析対象データの分析の進行度に関する情報を含む、
請求項１０〜１４の何れか一項に記載のデータ分析情報処理装置。
【請求項１７】
前記進行度に関する情報が、更新されていく、
請求項１６に記載のデータ分析情報処理装置。
【国際調査報告】
2016203932.tif 000022
2016203932.tif 000023
2016203932.tif 000024
2016203932.tif 000025